(57)【要約】【課題】  プレパンチシートの穿孔属性と、給紙するシートに穿孔処理する穿孔属性とが一致しないシート処理を制限する。【解決手段】    シートまたはプレパンチシートを給紙する複数の給紙手段と、いずれかの給紙手段から給紙されるシートに穿孔処理を行うパンチ手段と、前記パンチ手段が前記シートに穿孔処理する穿孔属性を指定する指定手段と、前記プレパンチシートを用いる設定がなされている場合、前記シートを穿孔処理するために前記パンチ手段に指定された穿孔属性と、前記プレパンチシートの穿孔属性とが一致するかどうかを判断する判断手段と、前記穿孔属性が一致しないと判断した場合、プレパンチシートを挿入する設定を無効とするように制御する制御手段と、を備えることを特徴とする。【選択図】  図１５
2015074552.tif 000002
【特許請求の範囲】
【請求項１】
シートまたはプレパンチシートを給紙する複数の給紙手段と、
いずれかの給紙手段から給紙されるシートに穿孔処理を行うパンチ手段と、
前記パンチ手段が前記シートに穿孔処理する穿孔属性を指定する指定手段と、
前記プレパンチシートを用いる設定がなされている場合、前記シートを穿孔処理するために前記パンチ手段に指定された穿孔属性と、前記プレパンチシートの穿孔属性とが一致するかどうかを判断する判断手段と、
前記穿孔属性が一致しないと判断した場合、プレパンチシートを挿入する設定を無効とするように制御する制御手段と、
を備えることを特徴とするシート処理装置。
【請求項２】
前記穿孔属性が一致しないと判断した場合、前記シートを穿孔処理する前記パンチ手段に指定された穿孔属性と、前記プレパンチシートの穿孔属性とが一致していないことを通知する通知手段を備えることを特徴とする請求項１記載のシート処理装置。
【請求項３】
前記穿孔されたプレパンチシートを給紙する設定が無効とされた場合、前記制御手段は、前記穿孔されたプレパンチシートを用いる給紙を制限することを特徴とする請求項１記載のシート処理装置。
【請求項４】
シートまたはプレパンチシートを給紙する給紙手段を前記複数の給紙手段から選択する選択手段を備えることを特徴とする請求項１記載のシート処理装置。
【請求項５】
プレパンチシートの穿孔属性を設定する設定手段を備えることを特徴とする請求項１記載のシート処理装置。
【請求項６】
前記穿孔属性は、穴数、穴の大きさ、穴の位置を含むことを特徴とする請求項１〜５のいずれか１項に記載のシート処理装置。
【請求項７】
前記プレパンチシートは、タブ紙であることを特徴とする請求項１記載のシート処理装置。
【請求項８】
シートまたはプレパンチシートを給紙する複数の給紙手段と、
いずれかの給紙手段から給紙されるシートに穿孔処理を行うパンチ手段と、
前記パンチ手段が前記シートに穿孔処理する穿孔属性を指定する指定手段と、
前記パンチ手段を用いる設定がなされている場合、前記シートを穿孔処理する前記パンチ手段に指定された穿孔属性と、前記プレパンチシートの穿孔属性とが一致するかどうかを判断する判断手段と、
前記穿孔属性が一致しないと判断した場合、プレパンチシートを挿入する設定を無効とするように制御する制御手段と、
を備えることを特徴とするシート処理装置。
【請求項９】
シートまたはプレパンチシートを給紙する複数の給紙手段と、いずれかの給紙手段から給紙されるシートに穿孔処理を行うパンチ手段とを備えるシート処理装置の制御方法であって、
前記パンチ手段が前記シートに穿孔処理する穿孔属性を指定する指定工程と、
前記プレパンチシートを用いる設定がなされている場合、前記シートを穿孔する前記パンチ手段に指定された穿孔属性と、前記プレパンチシートの穿孔属性とが一致するかどうかを判断する判断工程と、
前記穿孔属性が一致しないと判断した場合、プレパンチシートを挿入する設定を無効とするように制御する制御工程と、
を備えることを特徴とするシート処理装置の制御方法。
【請求項１０】
シートまたはプレパンチシートを給紙する複数の給紙手段と、いずれかの給紙手段から給紙されるシートに穿孔処理を行うパンチ手段とを備えるシート処理装置の制御方法であって、
前記パンチ手段が前記シートに穿孔処理する穿孔属性を指定する指定工程と、
前記パンチ手段を用いる設定がなされている場合、前記シートを穿孔処理する前記パンチ手段に指定された穿孔属性と、前記プレパンチシートの穿孔属性とが一致するかどうかを判断する判断工程と、
前記穿孔属性が一致しないと判断した場合、プレパンチシートを挿入する設定を無効とするように制御する制御工程と、
を備えることを特徴とするシート処理装置の制御方法。
【請求項１１】
請求項９または１０に記載のシート処理装置の制御方法をコンピュータに実行させることを特徴とするプログラム。
【発明の詳細な説明】
【技術分野】
【０００１】
本発明は、シート処理装置、シート処理装置の制御方法、及びプログラムに関するものである。
【背景技術】
【０００２】
従来、タブ紙を給紙し、印刷物の間に挿入する挿入機能を備えるシート処理装置がある。タブ紙を挿入することによって、印刷物に見出しを付けたり、印刷物を章ごとに分けたりすることができる。また、印刷物とタブ紙に対してパンチ処理（穴あけ処理）を実行することで、印刷物にタブ紙を挿入しつつ、タブ紙が挿入された印刷物に穴を開け、ファイリングしやすくすることができる。
【０００３】
一方、従来、予めパンチ穴が開けられたプレパンチ紙と呼ばれる用紙がある。例えば、特許文献１には、給紙部に格納された用紙がプレパンチ紙であるか否かを設定しておき、元の穴とずれた位置に穴が開かないように、プレパンチ紙に対してパンチ処理を実行することを禁止する方法が開示されている。
【０００４】
また、特許文献２には、給紙部に格納された用紙のパンチ穴の数や位置を設定できるようにし、プリントジョブで指定されたプレパンチ紙が給紙部に格納されていれば、そのプレパンチ用紙を給紙するように制御する方法が開示されている。
【先行技術文献】
【特許文献】
【０００５】
【特許文献１】特開２００３‐２２６４６３号公報
【特許文献２】特開２００８‐１９５４８８号公報
【発明の概要】
【発明が解決しようとする課題】
【０００６】
しかしながら、特許文献１には、プレパンチ紙とともに印刷される非プレパンチ紙に関する制御について記載されておらず、プレパンチ紙の穴の数とパンチ機能で設定した穴の数が異なっていても、非プレパンチ紙に対してパンチ穴を開けてしまう。そのため、出力束は穴がずれた用紙が混在してしまい、ファイリングできない。
【０００７】
また、特許文献２には、画像形成装置に格納されたプレパンチ紙を使用して出力束を作成したい場合でも、プリントジョブで指定されたプレパンチ紙の穴数等が異なる場合、非プレパンチ紙を給紙して穴あけされてしまう。そのため、使用したいプレパンチ紙を使用できない。
【０００８】
本発明は、上記の課題を解決するためになされたもので、本発明の目的は、プレパンチシートの穿孔属性と、給紙するシートに穿孔処理する穿孔属性とが一致しないシート処理を制限できる仕組みを提供することである。
【課題を解決するための手段】
【０００９】
上記目的を達成する本発明のシート処理装置は以下に示す構成を備える。
シートまたはプレパンチシートを給紙する複数の給紙手段と、いずれかの給紙手段から給紙されるシートに穿孔処理を行うパンチ手段と、前記パンチ手段が前記シートに穿孔処理する穿孔属性を指定する指定手段と、前記プレパンチシートを用いる設定がなされている場合、前記シートを穿孔処理するために前記パンチ手段に指定された穿孔属性と、前記プレパンチシートの穿孔属性とが一致するかどうかを判断する判断手段と、前記穿孔属性が一致しないと判断した場合、プレパンチシートを挿入する設定を無効とするように制御する制御手段と、を備えることを特徴とする。
【発明の効果】
【００１０】
本発明によれば、プレパンチシートの穿孔属性と、給紙するシートに穿孔処理する穿孔属性とが一致しないシート処理を制限できる。
【図面の簡単な説明】
【００１１】
【図１】シート後処理装置を適用可能な画像形成装置の構成を示すブロック図である。
【図２】図１に示した画像形成装置の内部構造を示す構成図である。
【図３】図１に示した操作部の構成を説明する平面図である。
【図４】図１に示した操作部に表示されるＵＩ画面の一例を示す図である。
【図５】図１に示した操作部に表示されるＵＩ画面の一例を示す図である。
【図６】図１に示した操作部に表示されるＵＩ画面の一例を示す図である。
【図７】図１に示した操作部に表示されるＵＩ画面の一例を示す図である。
【図８】図１に示した操作部に表示されるＵＩ画面の一例を示す図である。
【図９】図１に示した操作部に表示されるＵＩ画面の一例を示す図である。
【図１０】図１に示した操作部に表示されるＵＩ画面の一例を示す図である。
【図１１】図１に示した操作部に表示されるＵＩ画面の一例を示す図である。
【図１２】図１に示した操作部に表示されるＵＩ画面の一例を示す図である。
【図１３】図１に示した操作部に表示されるＵＩ画面の一例を示す図である。
【図１４】図１に示した操作部に表示されるＵＩ画面の一例を示す図である。
【図１５】シート処理装置の制御方法を説明するフローチャートである。
【図１６】シート処理装置の制御方法を説明するフローチャートである。
【発明を実施するための形態】
【００１２】
次に本発明を実施するための最良の形態について図面を参照して説明する。
＜システム構成の説明＞
〔第１実施形態〕
【００１３】
図１は、本実施形態を示すシート後処理装置を適用可能な画像形成装置の構成を示すブロック図である。
図１において、１はリーダ部（画像入力装置）で、原稿画像を光学的に読み取り、画像データに変換する。リーダ部１は、原稿を読み取るための機能を持つスキャナユニット１２と、原稿用紙を搬送するための機能を持つ原稿給紙ユニット（ＤＦユニット）１１とで構成される。
【００１４】
２はプリンタ部（画像出力装置）で、記録紙やタブ紙（タブシート）を搬送し、その上に画像データを可視画像として印字して装置外に排紙する。プリンタ部２は、複数種類の記録紙カセットを持つ給紙ユニット２２と、画像データを記録紙に転写、定着させる機能を持つマーキングユニット２１から構成されている。さらに印字された記録紙を機外へ出力する機能を持つ排紙ユニット２３、パンチ処理、ソート処理を行うフィニッシャ部（フィニッシャユニット）２４とで構成される。制御装置３は、ＣＰＵ３１，画像メモリ３２、不揮発メモリ３４、ＲＡＭ３５、ＲＯＭ３６、操作部３３から構成されている。
【００１５】
制御装置３は、リーダ部１、プリンタ部２と電気的に接続されている。そして、制御装置３内のＣＰＵ３１はリーダ部１を制御して、原稿の画像データを画像メモリ３２に読込み、プリンタ部２を制御して画像メモリ３２内の画像データを記録用紙に出力してコピー機能を提供する。更に不揮発メモリ３４には各種調整値が格納され、ＲＡＭ３５はＣＰＵ３１のワーク領域として使用され、ＲＯＭ３６はＣＰＵ３１の制御プログラムが格納されている。
【００１６】
操作部３３は液晶表示部（ＬＣＤ）と液晶表示部上に張り付けられたタッチパネル入力装置と、複数個のハードキーを有する。タッチパネルまたはハードキーにより入力された信号はＣＰＵ３１に伝えられ、液晶表示部には、本画像形成装置の操作における機能表示や画像データ等を表示する。
【００１７】
図２は、図１に示した画像形成装置（複写機）の内部構造を示す構成図である。
本例に示す画像形成装置は、リーダ部１と、プリンタ部２と、ソータ２３０と、シートの所定位置に選択される穴数に応じた穿孔処理を行うパンチユニット２５０を備えている。なお、パンチユニット２５０がシートに穿孔する穿孔属性の設定については後述する。
図２において、リーダ部１は、原稿給送装置１０１、原稿台のガラス面１０２、ランプ１０３、ミラー１０５を有するスキャナユニット１０４、ミラー１０６、ミラー１０７、レンズ１０８、ＣＣＤイメージセンサ部（以下ＣＣＤと略称）１０９を備えている。
【００１８】
プリンタ部２は、露光制御部２０１、ポリゴンミラー２０７、感光体２１１、現像器２１２、転写部２１６、定着部２１７、排紙部２１８、排出ローラ２１９、搬送方向切り替え部材２２０を備えている。さらに、再給紙用用紙積載部２２１、用紙積載部２１４、２１５、２２５、２２６も備えている。
【００１９】
原稿給送装置１０１上に積載された原稿は、１枚ずつ順次原稿台のガラス面１０２上に搬送される。原稿がガラス面１０２の所定位置へ搬送されると、スキャナ部のランプ１０３が点灯し、かつスキャナユニット１０４が移動して原稿を照射する。原稿の反射光は、ミラー１０５、１０６、１０７、レンズ１０８を介してＣＣＤ１０９に入力される。尚、プリンタ部２の詳細については後述する。
【００２０】
また、ソータ２３０は、入口ローラ２３１、搬送パス切替部材２３２、排紙ローラ２３３、縦搬送パス２３４を備えている。さらに、サドルスタッカ２３５、サドル位置決めローラ２３６、サドル突き当てローラ２３７、サドル突き当て部材２３９、サドル位置決め部材２４０、ビン２４１、２４２等も備えている。
【００２１】
次に、上記図２を参照しながらプリンタ部２の構成及び動作について説明する。
プリンタ部２に入力された画像信号は、露光制御部２０１にて変調された光信号に変換されて感光体２１１を照射する。照射光によって感光体２１１上に作られた潜像は、現像器２１２によって現像される。上記現像された像の先端とタイミングを併せて、用紙積載部（給紙口）２１４もしくは２１５より用紙が搬送され、転写部２１６において、上記現像された像が転写される。
次に、転写された像は、定着部２１７にて用紙に定着された後、排紙部２１８より装置外部に排出される。
【００２２】
排紙部２１８から出力された用紙は、パンチユニット２５０を通り、パンチ機能が働いている場合は、パンチされ、ソータ２３０に渡される。パンチユニット２０５は、１枚のシートに２個の穴を開けるための針と、３個の穴を開けるための針を有しており、パンチユニット２５０を通過するシートに、設定された方の数に対応する針であけるように構成されている。パンチユニット２５０は、画像形成装置に着脱可能であり、異なる数の穴を開けるためのパンチユニットに付け変えることができる。例えば、４個の穴を開けるための針を有するパンチユニットに付け変えることができる。ソータ２３０でソート機能が働いている場合には、各ビンに、またはソート機能が働いていない場合には、ソータの最上位のビンに排出される。
【００２３】
続いて、順次読み込む画像を１枚の出力用紙の両面に出力する方法について説明する。定着部２１７で定着された出力用紙を、一度、排紙部２１８まで搬送後、用紙の搬送向きを反転して搬送方向切り替え部材２２０を介して再給紙用用紙積載部２２１に搬送する。次の原稿が準備されると、上記プロセスと同様にして原稿画像が読み取られるが、用紙については再給紙用用紙積載部２２１より給紙されるので、同一出力紙の表面、裏面に２枚の原稿画像を出力することができる。
【００２４】
図３は、図１に示した操作部３３の構成を説明する平面図である。
図３において、６００はＬＣＤタッチパネルで、主なモード設定、状況表示はここで行われる。６０１は０〜９までの数値を入力するためのテンキーである。６０２はＩＤキーで、装置が部門管理されている場合に部門番号と暗証モードを入力する際に使用されるものである。
【００２５】
６０３は設定されたモードをリセットするためのリセットキー、６０４は各モードについての説明画面を表示するためのガイドキー、６０６は割り込みコピーを行うための割り込みキーになっている。６０７はコピー動作をスタートさせるためのスタートキー、６０８は実行中のコピージョブを中止させるためのストップキーである。
６０５はユーザモード画面に入るためのユーザモードキーであり、このユーザモードキー６０５を押下することにより、後述する用紙種類の設定を行う。
【００２６】
６０９はソフト電源ＳＷで、押下することによりＬＣＤ６００のバックライトが消え装置は低電力状態に移行する。６１０は節電キーで、これを押下することで節電状態に入り、再度押下することで節電状態から復帰する。
【００２７】
６１４はＬＣＤタッチパネルのコントラストを調整するための調整キーである。６１５はカウンタ確認キーで、このキーを押下することでそれまでに使用したコピー枚数の集計を表示するカウント画面がＬＣＤ上に表示される。
【００２８】
６１６はジョブの実行中、画像メモリへの画像蓄積中を示すＬＥＤ、６１７がジャム、ドアオープン等装置がエラー状態にあることを示すエラーＬＥＤ、６１８は装置のメインスイッチがＯＮになっていることを示す電源ＬＥＤになっている。
【００２９】
以下、図４、図５、図６、図７、図８を参照して、用紙情報の設定方法について説明する。なお、図４〜図８を介して設定された内容は、不揮発性メモリ３４に記憶される。
図４〜図８は、図１に示した操作部３３に表示されるＵＩ画面の一例を示す図である。本例では、給紙口１にＢ４サイズ、給紙口２にＡ４サイズ、給紙口３にＡ４サイズ、給紙口４にＡ４サイズの用紙が格納されているとする。ここで、給紙口１は用紙積載部２１４、給紙口２は用紙積載部２１５、給紙口３は用紙積載部２２５、給紙口４は用紙積載部２２６にそれぞれ対応している。
ユーザが操作部３３のユーザモードキー６０５を押下すると、図４に示されるユーザモードの設定画面が操作部３３が備えるＬＣＤ６００に表示される。キー７０１は用紙情報の設定を行うキーである。ここで、ユーザがキー７０１を押下すると 図５に示される用紙情報の設定画面７０２がＬＣＤ６００に表示される。
【００３０】
図５に示す用紙情報の設定画面７０２では、給紙口１から給紙口４までのキー７０３があり、それぞれのキーを押下することで、図６に示される用紙情報の詳細／変更画面７０４が表示され、ユーザは各々の給紙口に対する用紙の種類を設定することができる。
【００３１】
このように、図５、図６に示す操作画面上において、ユーザが、各給紙口毎に夫々、用紙情報を設定する操作を予め行っておくことで、画像形成装置は用紙情報を取得し、用紙の種類を各給紙口毎に判別することができる。
【００３２】
図６に示す用紙情報の詳細／変更画面７０４には、用紙の名称、種別、坪量、表面性、特徴、色、パンチ穴数の情報が表示され、名称、坪量、表面性、特徴、色、パンチ穴数については変更ボタン７０５を押下することでユーザが設定値を変更することができる。
パンチ穴数の変更ボタン７０５を押下すると、図７に示されるプレパンチ穴数の設定画面７０６が表示される。
プレパンチ穴数の設定画面７０６には、２穴、３穴、および４穴のパンチ穴数を指定するための選択キーと、それぞれの穴数のプレパンチ紙を示す画像が表示される。
パンチ穴数の選択キー７０７が押下されると、該当給紙口に対して、４穴のプレパンチ紙という用紙情報が設定し、図８のようにパンチ穴数の選択キー７０７を反転表示する。このように、本実施形態では、給紙ユニット２２の各給紙口に格納された用紙の情報として、用紙の名称や、種別、坪量、などの情報とともに、用紙にあけられた穴の数を登録するようになっている。
【００３３】
以下、図９〜図１３を参照して、コピーのタブ紙挿入機能を使用する際の給紙口選択方法について説明する。なお、図１４に示す警告画面については後述する。
図９〜図１３は、図１に示した操作部３３に表示されるＵＩ画面の一例を示す図である。
図９に示すＵＩ画面は、ＬＣＤ６００に表示されるコピーの設定画面である。
図９に示すコピーの設定画面７１０において、ユーザがその他の機能キー７１１を押下すると、図１０に示されるその他の機能画面７１２がＬＣＤ６００に表示される。
図１０に示すその他の機能画面７１２において、ユーザがタブ紙挿入の設定キー７１３を押下すると、図１１に示されるタブ紙挿入の設定画面７２０がＬＣＤ６００に表示される。
図１１に示すタブ紙挿入の設定画面７２０において、７２１はタブ紙挿入リストであり、ユーザにより設定されたタブ紙挿入設定がリスト表示される。７２２はスクロールキーであり、タブ紙挿入リスト７２１を上方向または下方向にスクロールさせる。
【００３４】
７２３、７２４、７２５はそれぞれタブ紙挿入設定追加キー、タブ紙挿入設定詳細／編集キー、タブ紙挿入設定削除キーである。
タブ紙挿入設定追加キー７２３を押下すると、図１２に示されるタブ紙挿入の詳細／編集画面７３０がＬＣＤ６００に表示される。
図１２に示すタブ紙挿入の詳細／編集画面７３０において、７３２は挿入位置ページ設定キーであり、このキーを押下すると、挿入位置表示部７３１に表示される挿入位置のページ番号が増減する。タブ紙挿入の詳細／編集画面７３０において、７３３から７３６は、給紙口選択キーであり、挿入するタブ紙を給紙する給紙口をこのキーで選択する。
【００３５】
挿入位置を入力し、給紙口を選択した後、ＯＫキー７３７を押下すると、タブ紙挿入の詳細／編集画面７３０が閉じられ、タブ紙挿入の設定画面７２０に戻り、タブ紙挿入リスト７２１にタブ紙挿入設定が新規に追加される。
【００３６】
図１１に示すタブ紙挿入の設定画面７２０において、タブ紙挿入設定詳細／編集キー７２４を押下すると、タブ紙挿入の詳細／編集画面７３０が表示され、タブ紙挿入リスト７２１で選択されているタブ紙挿入設定の詳細が表示される。
【００３７】
また、図１１に示すタブ紙挿入の設定画面７２０において、タブ紙挿入設定削除キー７２５を押下すると、タブ紙挿入リスト７２１で選択されているタブ紙挿入設定が削除される。また、ＯＫキー７２６を押下すると、タブ紙挿入設定がＲＡＭ３５に保存され、その他の機能画面７１２がＬＣＤ６００に表示される。
【００３８】
以下、図９、図１０、図１３を参照して、パンチ機能の設定方法について説明する。
図９に示すＵＩ画面は、ＬＣＤ６００に表示されるコピーの設定画面である。
図９に示すコピーの設定画面７１０において、その他の機能キー７１１を押下すると、図１０に示されるその他の機能画面７１２がＬＣＤ６００に表示される。その他の機能画面７１２にて、パンチ機能の設定キー７１４を押下すると、図１３に示されるパンチ機能の設定画面７４０がＬＣＤ６００に表示される。
【００３９】
図１３に示すパンチ機能の設定画面７４０において、７４１はパンチ機能を行わないことを示すキー、７４２、７４３、７４４はそれぞれ、２穴、３穴、および４穴のパンチ穴数の選択キーである。パンチ機能を行わないことを示すキー７４１やパンチ穴数の選択キー７４２、７４３、７４４が押下されると、押下した選択キーを反転表示する。
ユーザがＯＫキー７４５を押下すると、パンチ機能設定がＲＡＭ３５に保存され、その他の機能画面７１２がＬＣＤ６００に表示される。
【００４０】
図１５は、本実施形態を示すシート処理装置の制御方法を説明するフローチャートである。本例は、図１０に示したパンチ機能の設定キー７１４が押下されたときの、パンチ機能の設定画面７４０に基づくシート設定処理例である。なお、各ステップは、ＣＰＵ３１がＲＯＭ３６等に記憶された制御プログラムを実行することにより実現される。
以下、プレパンチシートを用い、給紙するシートに穿孔処理を行う処理において、プレパンチシートにあらかじめ穿孔された穴の属性（穿孔属性）と、給紙するシートに穿孔する穿孔属性を判断して、プレパンチシートを挿入する処理を制限する例を説明する。
【００４１】
ユーザが、図１０に示すＬＣＤ６００に表示されたその他の機能画面７１２にて、パンチ機能の設定キー７１４を押下すると、ＣＰＵ３１は、Ｓ１０１において、タブ紙挿入リスト７２１に挿入する用紙が存在するかどうか判断する。挿入する用紙が存在するとＣＰＵ３１が判断した場合は、Ｓ１０２に移行し、挿入する用紙が存在しない場合は、Ｓ１１３に移行する。
【００４２】
Ｓ１０２において、ＣＰＵ３１は、タブ紙挿入リスト７２１にリストアップされた用紙の中にプレパンチ紙が存在するかどうか判断する。プレパンチ紙が存在する場合は、Ｓ１０３に移行し、プレパンチ紙が存在しない場合は、Ｓ１１３に移行する。
Ｓ１０３では、ＣＰＵ３１がプレパンチ紙の穴数をパンチ穴数として設定し、Ｓ１０４に移行する。
【００４３】
Ｓ１０４において、ＣＰＵ３１は、Ｓ１０３で設定されたパンチ穴数の選択キー７４２、７４３、７４４のいずれかが選択された状態で、パンチ機能の設定画面７４０を表示し、Ｓ１０５に移行する。
【００４４】
Ｓ１０５において、ＣＰＵ３１は、ユーザからのキー入力操作を待ち、ＯＫキー７３７が押下されたとＣＰＵ３３１が判断した場合は、Ｓ１１０に移行する。パンチ穴数の選択キー７４２、７４３、７４４やパンチ機能を行わないキー７４１が押下されたとＣＰＵ３１が判断した場合は、Ｓ１０６に移行する。
【００４５】
Ｓ１０６では、ＣＰＵ３１は、Ｓ１０５で選択された穴数とプレパンチ紙の穴数を比較し、異なると判断した場合はＳ１０７に移行し、同じであるとＣＰＵ３１が判断した場合はＳ１０５に移行する。
【００４６】
Ｓ１０７において、ＣＰＵ３１は、図１４に示す警告画面７５０をＬＣＤ６００に表示する通知処理を実行し、Ｓ１０８に移行する。図１４において、７５１はプレパンチ紙の穴数、７５２はＳ１０５で選択されたパンチ穴数、７５３はユーザに知らせるための警告メッセージである。
【００４７】
Ｓ１０８において、ＣＰＵ３１は、適応キー７５４が押下されるとＳ１０９に移行し、やり直しキー７５５が押下されるとＳ１０５に移行し、パンチ機能の設定画面７４０をＬＣＤ６００表示する。
Ｓ１０９において、ＣＰＵ３１は、Ｓ１０５で選択された穴数をパンチ穴数として設定し、Ｓ１０５に移行し、パンチ機能の設定画面７４０をＬＣＤ６００表示する。
一方、Ｓ１１０において、ＣＰＵ３１は、設定されたパンチ穴数とプレパンチ紙の穴数を比較し、同じであると判断した場合はＳ１１１に移行し、異なると判断した場合はＳ１１２に移行する。
【００４８】
Ｓ１１１において、ＣＰＵ３１は、ＲＡＭ３５上のプレパンチ紙パンチ除外設定をＯＦＦにし、その他の機能画面７１２をＬＣＤ６００表示して、本処理を終了する。ここで、ＯＦＦとは、プレパンチシートを挿入する設定を無効とすることを意味する。
Ｓ１１２において、ＣＰＵ３１は、ＲＡＭ３５上のプレパンチ紙パンチ除外設定をＯＮにし、その他の機能画面７１２をＬＣＤ６００示す。
【００４９】
一方、Ｓ１１３では、ＣＰＵ３１が、これまでに設定されたパンチ穴数に該当する選択キー７４２，７４３、７４４のいずれか、もしくは、パンチしない７４１が選択された状態で、パンチ機能の設定画面７４０を表示し、Ｓ１１４に移行する。
【００５０】
Ｓ１１４において、ＣＰＵ３１は、ユーザからのキー入力操作を待ち、ＯＫキー７３７が押下された場合は、その他の機能画面７１２をＬＣＤ６００表示して、本処理を終了する。ここで、パンチ穴数の選択キー７４２、７４３、７４４やパンチ機能を行わないキー７４１が押下された場合は、Ｓ１１５に移行する。
Ｓ１１５において、ＣＰＵ３１は、Ｓ１１４で選択された穴数をパンチ穴数として設定し、Ｓ１１４に移行し、パンチ機能の設定画面７４０をＬＣＤ６００表示する。
【００５１】
以上のように、タブ紙挿入設定でプレパンチ紙の挿入が設定されている場合にパンチ機能の設定において、プレパンチ紙と同じパンチ穴数のパンチ設定を自動的に選択することで、ユーザが選択しなくても最適なパンチ穴数が設定できるという効果が得られる。
【００５２】
また、ユーザが別のパンチ穴設定を選んだ時に、警告画面を出すことで、ユーザがプレパンチ紙と異なることを認識でき、そのパンチ穴数を選ばなく誘導することができるという効果が得られる。
本実施形態では、パンチユニット２５０がパンチするパンチ穴の数だけでプレパンチ紙とパンチ機能での設定に差があるかどうか判断したが、穿孔属性としてパンチ穴の数だけでなく、位置や穴の大きさなどを比較対象としても良い。
【００５３】
〔第２実施形態〕
上記実施形態では、タブ紙挿入設定でプレパンチ紙の挿入が設定されている場合にパンチ機能の設定での制御について例を示した。これに対して本実施形態では、パンチ機能が設定された場合にタブ紙挿入設定を行う場合について説明する。なお、第１実施形態と同様の処理については、ここでは説明を行わない。
図１６は、本実施形態を示すシート処理装置の制御方法を説明するフローチャートである。本例は、タブ紙挿入設定時の、タブ紙挿入の詳細／編集画面７３０における制御する制御例である。なお、各ステップは、ＣＰＵ３１がＲＯＭ３６当に記憶された制御プログラムを実行することにより実現される。
【００５４】
ユーザが、タブ紙挿入の詳細／編集画面７３０において、ＯＫキー７３７を押下すると、Ｓ２０１において、ＣＰＵ３１は、パンチ機能が設定されているかを判断する。パンチ機能が設定されている場合はＳ２０２に移行し、パンチ機能が設定されていない場合はＳ２１２に移行する。
【００５５】
Ｓ２０２では、ＣＰＵ３１が給紙口選択キー７３３〜７３６の内いずれかが選択されているかを判断する。プレパンチ紙が格納された給紙口が選択されていると判断した場合は、Ｓ２０３に移行し、プレパンチ紙でないと判断した場合は、Ｓ２０８に移行する。
【００５６】
Ｓ２０３において、ＣＰＵ３１は、プレパンチ紙の登録された穴数とパンチ機能で設定された穴数が一致しているかを判断し、一致していないと判断した場合は、Ｓ２０４に移行し、一致していると判断した場合はＳ２０７に移行する。
Ｓ２０４では、ＣＰＵ３１は、図１５に示す警告画面７５０をＬＣＤ６００に表示し、Ｓ２０５に移行する。
Ｓ２０５において、ＣＰＵ３１は、適応キー７５４が押下されると判断した場合、Ｓ２０６に移行し、やり直しキー７５５が押下されるとタブ紙挿入の設定画面７２０をＬＣＤ６００表示して、本処理を終了する。
Ｓ２０６では、ＣＰＵ３１がＲＡＭ３５上のプレパンチ紙パンチ除外設定をＯＦＦにし、Ｓ２０８に移行する。
一方、Ｓ２０７では、ＣＰＵ３１は、ＲＡＭ３５上のプレパンチ紙パンチ除外設定をＯＮにし、Ｓ２０８に移行する。
Ｓ２０８では、ＣＰＵ３１は、タブ紙挿入リスト７２１にタブ紙挿入設定を新規に追加し、タブ紙挿入の設定画面７２０が表示して、本処理を終了する。
【００５７】
以上のように、パンチ機能設定が設定されている場合にタブ紙挿入機能の設定において、ユーザがパンチ機能の設定とは異なるプレパンチ紙を選んだ時に、警告画面を出すようにした。これにより、ユーザがパンチ機能での設定と異なることが認識でき、そのプレパンチ紙を選ばなく誘導することができるという効果が得られる。
本実施例では、パンチ穴の数だけでプレパンチ紙とパンチ機能での設定に差があるかどうか判断したが、パンチ穴の数だけでなく、位置や穴の大きさなどを比較対象としても良い。
また、タブ紙挿入に付いて説明したが、タブ紙ではなく、他種類のプレパンチ紙を挿入する場合にも本特許を適応しても良い。
【００５８】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。また、各フローチャートに基づく処理を実行するよう設計された制御回路がＣＰＵ３１の代わりに用いられていてもよい。
【００５９】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００６０】
１      リーダ装置
２      プリンタ装置
２２    給紙ユニット
２４    フィニッシャユニット
３      制御装置
３１    ＣＰＵ
３３    操作部
２５０  パンチユニット
【図１】
2015074552.tif 000003
【図２】
2015074552.tif 000004
【図３】
2015074552.tif 000005
【図４】
2015074552.tif 000006
【図５】
2015074552.tif 000007
【図６】
2015074552.tif 000008
【図７】
2015074552.tif 000009
【図８】
2015074552.tif 000010
【図９】
2015074552.tif 000011
【図１０】
2015074552.tif 000012
【図１１】
2015074552.tif 000013
【図１２】
2015074552.tif 000014
【図１３】
2015074552.tif 000015
【図１４】
2015074552.tif 000016
【図１５】
2015074552.tif 000017
【図１６】
2015074552.tif 000018